(57)【要約】      （修正有）【課題】複数の無線ノードと、その無線ノードの使用周波数などを設定する無線通信システムにおいて、無線ノードの初期化や設定変更の際、無線ノードを人的な作業により再起動する必要のない無線通信による完全な自動設定ができる装置を提供する。【解決手段】無線通信ネットワークを構成するように通信可能に接続される複数の通信端末に関する第１設定情報を記憶する記憶部と、第１設定情報とは異なる複数の通信端末に関する第２設定情報が複数の通信端末の夫々の間で通信されるに際し、記憶部に記憶されている第１設定情報を、第２設定情報に置き換える設定情報置換部と、を備えることを特徴とする。【選択図】図２
2018113580.tif 000002
【特許請求の範囲】
【請求項１】
無線通信ネットワークを構成するように通信可能に接続される複数の通信端末に関する第１設定情報を記憶する記憶部と、
前記第１設定情報とは異なる前記複数の通信端末に関する第２設定情報が前記複数の通信端末の夫々の間で通信されるに際し、前記記憶部に記憶されている前記第１設定情報を前記第２設定情報に置き換える設定情報置換部と、
を備えることを特徴とする通信設定装置。
【請求項２】
前記複数の通信端末の夫々がビーコンを用いて通信するための通信部を
さらに備えることを特徴とする請求項１に記載の通信設定装置。
【請求項３】
前記第１設定情報および前記第２設定情報には、前記複数の通信端末の夫々に設定される無線周波数を示す無線周波数情報が含まれ、
前記設定情報置換部は、前記複数の通信端末に対して前記第２設定情報が示す無線周波数になるように、前記記憶部に記憶されている前記第１設定情報を前記第２設定情報に置き換える
ことを特徴とする請求項１又は請求項２に記載の通信設定装置。
【請求項４】
前記第１設定情報および前記第２設定情報には、前記複数の通信端末の夫々に設定されるＭＡＣアドレスを示すＭＡＣアドレス情報が含まれ、
前記設定情報置換部は、前記ＭＡＣアドレス情報が示すＭＡＣアドレスが設定されている前記通信端末か否かを判定するとともに、前記ＭＡＣアドレスが設定されている前記通信端末であると判定された場合、前記記憶部に記憶されている前記第１設定情報を前記第２設定情報に置き換える
ことを特徴とする請求項１乃至請求項３の何れか一項に記載の通信設定装置。
【請求項５】
前記第１設定情報および前記第２設定情報には、前記複数の通信端末の設置位置を示す設置位置情報が含まれ、
前記設定情報置換部は、前記設置位置情報を前記第２設定情報が示す設置位置に設定するように、前記記憶部に記憶されている前記第１設定情報を前記第２設定情報に置き換える
ことを特徴とする請求項１乃至請求項４の何れか一項に記載の通信設定装置。
【請求項６】
前記第１設定情報および前記第２設定情報には、前記複数の通信端末の動作状態を示す動作状態情報が含まれ、
前記設定情報置換部は、前記複数の通信端末に対して前記動作状態情報が示す動作状態になるように、前記記憶部に記憶されている前記第１設定情報を前記第２設定情報に置き換える
ことを特徴とする請求項１乃至請求項５の何れか一項に記載の通信設定装置。
【請求項７】
前記通信部は、前記複数の通信端末の夫々の間の通信が不通であるか否かを判定するとともに、所定の期間に通信できない場合、前記動作状態情報に対応する動作状態から異なる動作状態に前記通信端末を変更する
ことを特徴とする請求項６に記載の通信設定装置。
【請求項８】
前記第１設定情報および前記第２設定情報は、ＣＳＶデータである
ことを特徴とする請求項１乃至請求項７の何れか一項に記載の通信設定装置。
【請求項９】
無線通信ネットワークを構成するように通信可能に接続される複数の通信端末に関する第１設定情報を記憶し、
前記第１設定情報とは異なる前記複数の通信端末に関する第２設定情報が前記複数の通信端末の夫々の間で通信されるに際し、記憶されている前記第１設定情報を前記第２設定情報に置き換える
ことを特徴とする通信設定方法。
【発明の詳細な説明】
【技術分野】
【０００１】
本発明は、通信設定装置に関する。
【背景技術】
【０００２】
例えば、複数の無線ノードと、その無線ノードの使用周波数などを設定する設定端末とで構成される無線通信システムが知られている。（例えば特許文献１）。
【先行技術文献】
【特許文献】
【０００３】
【特許文献１】特開２００８−２２８１９１号公報
【発明の概要】
【発明が解決しようとする課題】
【０００４】
特許文献１に係る無線通信システムでは、無線ノードの初期設定やそれを変更する場合には設定端末との間で定められている初期化チャンネルに切り替えて、設定値が設定端末から無線ノードに送信される。つまり、無線ノードの初期化をする際には、無線ノードを予め設定する初期チャンネルにリセットする。無線ノードのリセットされた状態において、設定端末は無線ノードに同期することにより通常時チャネルの設定値を送信する。これにより、無線ノードが初期チャネルから通常時チャネルに設定変更される。通常時チャネルに設定変更された無線ノードは、所属するアクセスポイントと通信して制御対象の装置を制御する。
【０００５】
しかし、上述した特許文献１に係る無線通信システムでは、無線ノードのチャネルの設定値を変更する際、無線ノードを人的な作業により再起動しなければならず、無線通信による完全な自動設定ができないため、作業量を増大させる虞があった。
【課題を解決するための手段】
【０００６】
前述した課題を解決する主たる本発明は、無線通信ネットワークを構成するように通信可能に接続される複数の通信端末に関する第１設定情報を記憶する記憶部と、前記第１設定情報とは異なる前記複数の通信端末に関する第２設定情報が前記複数の通信端末の夫々の間で通信されるに際し、前記記憶部に記憶されている前記第１設定情報を前記第２設定情報に置き換える設定情報置換部と、を備えることを特徴とする。
【０００７】
本発明の他の特徴については、添付図面及び本明細書の記載により明らかとなる。
【発明の効果】
【０００８】
本発明によれば、無線通信で設定したい情報を設定装置からノードに送信することで、ノードを再起動せずにノードの設定情報を書き換えることができるため、ノードを再起動するような人的作業が不要となり、作業量を抑制できる。
【図面の簡単な説明】
【０００９】
【図１】本実施形態に係る通信ネットワークにおける通信端末の配置状況の一例を示すネットワーク図である。
【図２】本実施形態に係る通信設定装置の構成の一例を示す構成図である。
【図３】本実施形態に係る設定情報テーブルの一例を示す図である。
【図４】本実施形態に係る通信設定装置の設定手順の一例を示すフロー図である。
【発明を実施するための形態】
【００１０】
本明細書および添付図面の記載により、少なくとも以下の事項が明らかとなる。なお、図１〜図４において、同一のものについては同一の数字を付して説明する。
【００１１】
＝＝＝通信設定装置１０＝＝＝
図１を参照しつつ、通信設定装置１０が適用される通信ネットワーク１００について以下のとおり説明する。図１は、本実施形態に係る通信ネットワーク１００における通信端末の配置状況の一例を示すネットワーク図である。なお、説明の便宜上、図１において、夫々の通信端末を実線で結んでいるが、夫々の通信端末は無線で接続されているものとする。
【００１２】
図１に示すように、通信ネットワーク１００は、ビーコン情報をブロードキャストする通信端末（以下、「親機１１０」と称する。）と、親機１１０又は他の通信端末との間を無線通信する通信端末（以下、「子機１２０」と称する。）と、で構成されている。子機１２０は、例えば、子機１２１，１２２と、その夫々に接続される子機１２１Ａ，１２１Ｂ，１２２Ａ，１２２Ｂと、で構成されている。親機１１０および子機１２０は、例えばストリング単位で太陽光発電設備を監視する監視装置に組み込まれる通信機器である。通信ネットワーク１００において、親機１１０は子機１２１，１２２にビーコン情報を送信し、子機１２１，１２２は夫々に接続する子機１２１Ａ，１２１Ｂ，１２２Ａ，１２２Ｂに、そのビーコン情報を送信する。これにより、親機１１０が送信するビーコン情報を通信ネットワーク１００内の全ての子機１２０に伝達できる。なお、ビーコン情報とは、ビーコン信号とそれに含まれる後述する第２設定情報とを含んだ情報をいう。
【００１３】
＝＝通信設定装置１０の構成＝＝
図２、図３を参照しつつ、通信設定装置１０の構成について以下のとおり説明する。図２は、本実施形態に係る通信設定装置１０の構成の一例を示す構成図である。図３は、本実施形態に係る設定情報テーブル１２Ａの一例を示す図である。
【００１４】
通信設定装置１０は、例えば、親機１１０および子機１２０と通信可能に接続される装置である。ただし、通信設定装置１０は、親機１１０および子機１２０の内部に組み込まれるように構成されるか、親機１１０および子機１２０の夫々と通信可能な別体として構成されるかは限定されない。なお、以下では、通信設定装置１０が子機１２０の内部に組み込まれている状態について説明するが、親機１１０の内部に組み込まれている状態についても同様のことが言えるものとする。さらに、以下において、親機１１０から送信して子機１２０で受信されるビーコン情報について記載しているが、親機１１０から送信して上位の子機１２０を介して下位の子機１２０で受信されるビーコン情報についても同様のことが言えることとする。
【００１５】
通信設定装置１０は、親機１１０から送信されるビーコン情報に基づいて子機１２０の設定に関する情報を置き換える機能を有する。つまり、通信設定装置１０は、運用中の子機１２０の設定情報（以下、「第１設定情報」と称する。）を親機１１０から送信される新たな設定情報（以下、「第２設定情報」と称する。）に置き換えることができるため、子機１２０を設定モードとして手動起動してから操作するような必要はなく、子機１２０の設定を変更できる。また、通信設定装置１０は、親機１１０および子機１２０で新たに通信ネットワーク１００を構築する状況において、親機１１０に第２設定情報を入力することにより、子機１２０に第２設定情報が送信されることで、子機１２０の設定を自動的に行うこともできる。
【００１６】
第１設定情報および第２設定情報は、子機１２０の無線周波数のチャネルを示す周波数情報、子機１２０のＭＡＣアドレスを示すアドレス情報、子機１２０の設置位置を示す位置情報、子機１２０の動作モードを示すモード情報、を含む情報である。より具体的に述べると、周波数情報は、子機１２０が親機１１０または他の子機１２０との間で送受信する電波の周波数のチャネルを表す情報である。周波数のチャネルは、例えばＩＥＥＥ８０２．１５．４を用いる場合、１６チャネルである。親機１１０と子機１２０は同一の周波数チャネルに設定される。アドレス情報は、子機１２０を識別するための情報である。アドレス情報を参照することにより、通信設定装置１０は第１設定情報を第２設定情報に置き換える子機１２０を識別できる。位置情報は、例えば太陽光発電設備のストリングナンバーを示す情報や緯度経度を示す情報である。モード情報は、子機１２０の動作モードを示す情報であり、例えば「通常動作モード」「検査モード」「設定モード」などのモードがある。
【００１７】
このような機能を有する通信設定装置１０は、図２に示すように、演算処理部１１と、記憶部１２と、入力部１３と、出力部１４と、メモリ１５と、を含んで構成されている。
【００１８】
演算処理部１１は、例えばＣＰＵあるいはＭＰＵなどで構成されている。演算処理部１１は、メモリ１５に格納されているプログラムを読み出すことにより、各種機能を実現する。演算処理部１１は、ＣＳＶ解析部１１Ａと、設定情報置換部１１Ｂと、通信部１１Ｃとを含んで構成されている。
【００１９】
ＣＳＶ解析部１１Ａは、入力部１３から入力される第２設定情報をＣＳＶ形式で読み取る機能を有する。これにより、汎用的なＣＳＶ形式のＣＳＶデータで送受信できるため通信処理が容易になる。
【００２０】
設定情報置換部１１Ｂは、ＣＳＶデータとして読み取った第２設定情報を記憶部１２に出力するとともに、通信設定装置１０が接続する子機１２０の設定を変更する機能を有する。具体的に述べると、設定情報置換部１１Ｂは、子機１２０に設けられる記憶装置（不図示）に記憶されている第１設定情報を、親機１１０から送信される第２設定情報に置き換えることができる。これにより、親機１１０から子機１２０に第２設定情報を送信することで、子機１２０の第１設定情報を第２設定情報に自動的に更新できる。
【００２１】
なお、設定情報置換部１１Ｂが子機１２０の記憶装置（不図示）に記憶される第１設定情報を第２設定情報に置き換えることとして説明したが、子機１２０の処理装置（不図示）が記憶部１２の第２設定情報を読み込むことにより、子機１２０の記憶装置（不図示）に記憶される第１設定情報を第２設定情報に置き換えてもよい。つまり、設定情報置換部１１Ｂが子機１２０の記憶装置（不図示）の第１設定情報を直接的に第２設定情報に置き替えてもよいし、設定情報置換部１１Ｂが記憶部１２の第１設定情報を第２設定情報に置き換えることで子機１２０の第１設定情報を第２設定情報に置き換えてもよい。
【００２２】
また、設定情報置換部１１Ｂは、入力される第２設定情報のアドレス情報に特定の子機１２０のＭＡＣアドレスがあるか否か判定する機能をも有する。設定情報置換部１１Ｂは、第２設定情報のアドレス情報に特定の子機１２０のＭＡＣアドレスがあると判定した場合、記憶部１２に記憶されている第１設定情報を第２設定情報に置き換える。つまり、特定の子機１２０が通信ネットワーク１００に新たに加入したとき、当該子機１２０をＭＡＣアドレスで判別するとともに、当該子機１２０の設定を自動的に変更できる。
【００２３】
通信部１１Ｃは、親機１１０および子機１２０がマルチホップ通信するための機能を有する。これにより、親機１１０および子機１２０の夫々でマルチホップネットワークを形成するため、通信ネットワーク１００の構成の変化に応じて安定的に通信経路を形成できる。
【００２４】
また、通信部１１Ｃは、親機１１０および子機１２０の夫々の間の通信が不通であるか否かを判定する機能をも有する。通信部１１Ｃは、所定の期間に通信できない場合、現在の動作モードから他の動作モードに子機１２０の状態を変更する。これにより、親機１１０または子機１２０は通信する相手方を再び検索することができるため、通信の停滞を回避できる。
【００２５】
記憶部１２は、プログラムや各種情報を記憶する装置である。記憶部１２は、例えば、ＲＯＭ、ＲＡＭあるいはフラッシュメモリなどで構成されている。記憶部１２には、例えば設定情報テーブル１２Ａが記憶されている。設定情報テーブル１２Ａは、通信ネットワーク１００を構成する子機１２０と各種情報を対応付けて格納している。設定情報テーブル１２Ａは、ビーコン情報をブロードキャストする親機１１０を示す「親ＩＤ」項目、そのビーコン情報を受信する側の子機１２０を示す「子ＩＤ」項目、子機１２０の周波数チャネルを示す「周波数情報」項目、子機１２０固有のＭＡＣアドレスを示す「アドレス情報」項目、子機１２０の物理的な位置を示す「位置情報」項目、子機１２０の動作モードを示す「モード情報」項目の各項目から構成される。具体的に述べると、周波数情報は、親機１１０および子機１２０で同一の周波数チャネルとして、例えば「２」に設定される。アドレス情報は、子機１２０の製作時点で割り振られる４８ビットのＭＡＣアドレスが設定される。位置情報は、子機１２０が配置される太陽光発電設備のストリングナンバーが設定される。モード情報は、子機１２０の動作モードが設定される。このように、通信ネットワーク１００を構築する全ての親機１１０および子機１２０の設定に関する情報が格納される。
【００２６】
入力部１３は、通信設定装置１０が接続する通信端末から情報を入力するネットワークインターフェイスである。出力部１４は、通信設定装置１０が接続する通信端末に情報を出力するネットワークインターフェイスである。メモリ１５は、演算処理部１１が処理するためのプログラムを格納する装置である。メモリ１５は、ハードディスクドライブ、ＳＳＤあるいは光学式記憶装置などで構成されている。
【００２７】
＝＝通信設定装置１０の設定手順＝＝
図１、図４を参照しつつ、通信設定装置１０の設定手順について以下のとおり説明する。図４は、本実施形態に係る通信設定装置１０の設定手順の一例を示すフロー図である。図４の設定手順は、通信設定装置１０の演算処理部１１が各プログラムを実行させることにより行われる。
【００２８】
先ず、通信ネットワーク１００の親機１１０および子機１２０の電源が投入されている状態を確認する（Ｓ１００，Ｓ１０１）。外部から親機１１０に対して第２設定情報が含まれたＣＳＶデータを入力する（Ｓ１０２）。第２設定情報は、例えば通信ネットワーク１００における子機１２０の構成が変更されたときに入力される情報である。入力部１３を介して入力されたＣＳＶデータはＣＳＶ解析部１１Ａにて読み取り、第２設定情報として設定情報置換部１１Ｂに渡される（Ｓ１０３）設定情報置換部１１Ｂでは、記憶部１２の設定情報テーブル１２Ａの第１設定情報を、渡された第２設定情報に置き換える（Ｓ１０４）。通信部１１Ｃは、第２設定情報をビーコン情報として、出力部１４を介して子機１２０にマルチホップ通信で送信する（Ｓ１０５）。これにより、親機１１０は、マルチホップ通信を用いて、ＣＳＶデータを含んだビーコン情報を子機１２０にブロードキャスト送信できる。
【００２９】
次に、子機１２０は、通信部１１ＣでＣＳＶデータを含んだビーコン情報を受信する（Ｓ１０６）。親機１１０からビーコン情報を受信する子機１２０は、親機１１０と直接通信可能な距離に配置される子機１２０であり、例えば図１で示す子機１２１，１２２である。以下、図１における通信ネットワーク１００を一例として説明する。
【００３０】
ＣＳＶデータを受信した子機１２１は、設定情報置換部１１ＢでＣＳＶデータのアドレス情報に自身のＭＡＣアドレスが入力されているか否か判定する（Ｓ１０８）。自身のＭＡＣアドレスが入力されている場合（Ｓ１０８：ＹＥＳ）、記憶部１２に記憶されている第１設定情報を第２設定情報に置き換える（Ｓ１０９）。これにより、子機１２１の設定が変更される。自身のＭＡＣアドレスが入力されていない場合（Ｓ１０８：ＮＯ）、又は、Ｓ１０９を実行した場合、処理をＳ１１０に移行する。
【００３１】
次に、通信部１１Ｃは、出力部１４を介して、マルチホップで子機１２１の下位に配置される子機１２１Ａ，１２１ＢにＣＳＶデータを含んだビーコン情報を送信する（Ｓ１１０）。子機１２１Ａ，１２１Ｂは、入力部１３を介して、通信部１１ＣでＣＳＶデータを含んだビーコン情報を受信するとともに、マルチホップネットワークを通じて親機１１０に受信完了を示す完了情報を送信する（Ｓ１１１）。親機１１０は、完了情報を受信すると処理を終了する（Ｓ１１２）。
【００３２】
なお、子機１２２，１２２Ａ，１２２Ｂは、上述した子機１２１，１２１Ａ，１２１Ｂと同様に動作するものとして、その説明を省略する。また、図４では不図示としたが、子機１２０の夫々において一定期間ビーコン情報が受信できない場合には、通信部１１Ｃが動作モードを変更させるとともに、子機１２０は再度通信可能な他の子機１２０を検索する。
【００３３】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。例えば、以下に示すようなものも含まれる。
【００３４】
＝＝＝その他の実施形態＝＝＝
上記において、親機１１０および子機１２０はビーコン情報を送受信するように記載したが、これに限定されない。例えば、ビーコン情報でなくてもよく、双方向の無線通信技術、例えば特定小電力無線設備などを用いていればよい。
【００３５】
上記において、親機１１０および子機１２０は、例えばストリング単位で太陽光発電設備を監視する監視装置に組み込まれる通信機器であるとして記載したが、これに限定されない。例えば、マルチホップで通信する重機やアニマルウォッチセンサーなどに用いられる通信機器であってもよい。
【００３６】
上記において、通信設定装置１０は親機１１０および子機１２０に組み込まれているように記載したが、これに限定されない。その理由は、少なくとも子機１２０に組み込まれていれば、親機１１０から出力される設定に関する情報を処理できるためである。
【００３７】
上記において、第１設定情報および第２設定情報には周波数情報が含まれているとして説明したが、これに限定されない。例えば周波数情報が含まれていなくてもよく、その場合には、親機１１０および子機１２０の機能により周波数を合わせればよい。
【００３８】
上記において、第１設定情報および第２設定情報にはアドレス情報が含まれているとして説明したが、これに限定されない。例えばアドレス情報が含まれていなくてもよく、その場合には、位置情報で子機１２０を識別すればよい。
【００３９】
上記において、第１設定情報および第２設定情報には位置情報が含まれているとして説明したが、これに限定されない。例えば位置情報が含まれていなくてもよく、その場合であっても、アドレス情報で子機１２０を識別することができる。
【００４０】
上記において、第１設定情報および第２設定情報はＣＳＶデータであるとして説明したが、これに限定されない。例えばＣＳＶデータでなくてもよく、汎用的に用いられるデータ形式であればよい。
【００４１】
上記において、演算処理部１１には通信部１１Ｃを含んでいるとして説明したが、これに限定されない。例えば通信部１１Ｃを有していなくてもよく、その場合には、親機１１０および子機１２０の夫々の間の通信が不通であるか否かを判定せず、
【００４２】
＝＝＝まとめ＝＝＝
以上説明したように、本実施形態に係る通信設定装置１０は、通信ネットワーク１００を構成するように通信可能に接続される親機１１０および子機１２０に関する第１設定情報および第２設定情報を記憶する記憶部１２と、第１設定情報とは異なる親機１１０および子機１２０に関する第２設定情報が親機１１０および子機１２０の夫々の間で通信されるに際し、記憶部１２に記憶されている第１設定情報を第２設定情報に置き換える設定情報置換部１１Ｂと、を備えることを特徴とする。本実施形態によれは、親機１１０および子機１２０の設定に関する情報を自動的に更新することができ、人的な作業による子機１２０の再起動操作が不要になり、作業効率の向上が図れる。
【００４３】
又、本実施形態に係る通信設定装置１０において、親機１１０および子機１２０の夫々がビーコンを用いて通信するための通信部１１Ｃをさらに備えることを特徴とする。本実施形態によれば、安価に通信ネットワーク１００を構築できる。
【００４４】
又、本実施形態に係る通信設定装置１０において、第１設定情報および第２設定情報には、親機１１０および子機１２０の夫々に設定される周波数情報が含まれ、設定情報置換部１１Ｂは、親機１１０および子機１２０に対して第２設定情報が示す無線周波数になるように、記憶部１２に記憶されている第１設定情報を第２設定情報に置き換えることを特徴とする。本実施形態によれば、親機１１０および子機１２０の夫々の間で容易に周波数チャネルを合わせることができる。
【００４５】
又、本実施形態に係る通信設定装置１０において、第１設定情報および第２設定情報には、親機１１０および子機１２０の夫々に設定されるＭＡＣアドレスを示すアドレス情報が含まれ、設定情報置換部１１Ｂは、アドレス情報が示すＭＡＣアドレスが設定されている子機１２０か否かを判定するとともに、ＭＡＣアドレスが設定されている子機１２０であると判定された場合、記憶部１２に記憶されている第１設定情報を第２設定情報に置き換えることを特徴とする。本実施形態によれば、設定に関する情報を書き換える子機１２０を容易に識別することができるため、処理時間が短縮できる。
【００４６】
又、本実施形態に係る通信設定装置１０において、第１設定情報および第２設定情報には、親機１１０および子機１２０の設置位置を示す位置情報が含まれ、設定情報置換部１１Ｂは、位置情報を第２設定情報が示す設置位置に設定するように、記憶部１２に記憶されている第１設定情報を第２設定情報に置き換えることを特徴とする。本実施形態によれば、親機１１０および子機１２０の物理的な配置状況を把握することができるため、作業効率の向上が図れる。
【００４７】
又、本実施形態に係る通信設定装置１０において、第１設定情報および第２設定情報には、親機１１０および子機１２０の動作状態を示すモード情報が含まれ、設定情報置換部１１Ｂは、親機１１０および子機１２０に対してモード情報が示す動作状態になるように、記憶部１２に記憶されている第１設定情報を第２設定情報に置き換えることを特徴とする。本実施形態によれば、親機１１０および子機１２０の動作モードを容易に変更することができるため、作業効率の向上が図れる。
【００４８】
又、本実施形態に係る通信設定装置１０において、通信部１１Ｃは、親機１１０および子機１２０の夫々の間の通信が不通であるか否かを判定するとともに、所定の期間に通信できない場合、モード情報に対応する動作状態から異なる動作状態に子機１２０を変更することを特徴とする。本実施形態によれば、通信できない子機１２０を排除できるため、迅速に通信ネットワーク１００を構築することができる。
【００４９】
又、本実施形態に係る通信設定装置１０において、第１設定情報および第２設定情報は、ＣＳＶデータであることを特徴とする。本実施形態によれば、汎用的なデータ形式を用いるため、通信処理の効率化が図れる。
【符号の説明】
【００５０】
１０    通信設定装置
１１Ｂ  設定情報置換部
１１Ｃ  通信部
１２    記憶部
１００  通信ネットワーク
１１０  親機
１２０  子機
【図１】
2018113580.tif 000003
【図２】
2018113580.tif 000004
【図３】
2018113580.tif 000005
【図４】
2018113580.tif 000006